(57)【要約】【課題】コンバータレンズをしっかりと保持することができる、レンズ保持部構造を提供すること。【解決手段】主レンズ系２０はレンズ鏡筒３０内に保持されている。略半円状のコンバータレンズ４０は、主レンズ系２０の前方に配設される。コンバータレンズ保持体５０は、コンバータレンズ４０を保持するコンバータレンズ保持部５４に、レンズ鏡筒３０に外嵌めされる環部５２が一体形成された構成とされている。環部５２をレンズ鏡筒３０に外嵌め固定することで、コンバータレンズ４０が主レンズ系２０の前方位置に配設保持される。【選択図】        図１
2004325499.tif 000002
【特許請求の範囲】
【請求項１】
主レンズ系の前方にコンバータレンズを保持するレンズ保持部構造であって、
内部に主レンズ系を保持するレンズ鏡筒と、
前記レンズ鏡筒の前方に配設されるコンバータレンズと、
前記レンズ鏡筒に外嵌めされる環部とこの環部と一体形成されて前記主レンズ系の前方に前記コンバータレンズを保持するコンバータレンズ保持部とを有するコンバータレンズ保持体と、
を備えたレンズ保持部構造。
【請求項２】
請求項１記載のレンズ保持部構造であって、
前記環部はねじ孔を有しており、ねじを用いて前記環部が前記レンズ鏡筒にねじ止固定された、レンズ保持部構造。
【請求項３】
請求項１又は請求項２記載のレンズ保持部構造であって、
前記コンバータレンズは略半円状に形成されると共に、その弧状の外周部に保持突部が形成され、
前記コンバータレンズ保持部に前記保持突部が嵌まり込むレンズ保持溝が形成され、
前記保持突部が前記レンズ保持溝に嵌まり込んだ状態で、前記コンバータレンズが前記主レンズ系の前方に保持された、レンズ保持部構造。
【請求項４】
請求項３記載のレンズ保持部構造であって、
前記保持突部に係合部が形成されると共に、前記コンバータレンズ保持部に前記係合部と係合可能な被係合部が形成され、
前記保持突部が前記レンズ保持溝に嵌め込まれた状態で、前記係合部が前記被係合部に係合することで、前記コンバータレンズが前記コンバータレンズ保持部に保持された、レンズ保持部構造。
【発明の詳細な説明】
【０００１】
【発明の属する技術分野】
本発明は、自動車等の車両に搭載されて車両周辺景色を撮像するための撮像装置等において、コンバータレンズを保持するためのレンズ保持部構造に関する。
【０００２】
【従来の技術】
撮像装置において、コンバータレンズを保持する鏡筒部に、係止爪を一体的に形成し、該係止爪をカメラの背面に係止させて、コンバータレンズをカメラに取付けるようした技術がある（特許文献１参照。）。
【０００３】
【特許文献１】
特開平５−２８１６３３号公報
【０００４】
【発明が解決しようとする課題】
しかしながら、上記撮像装置では、係止爪による係止状態が解除され易く、鏡筒部がコンバータレンズと一緒に、カメラから脱落する恐れがあった。
【０００５】
そこで、この発明の課題は、コンバータレンズをしっかりと保持することができる、レンズ保持部構造を提供することにある。
【０００６】
【課題を解決するための手段】
上記課題を解決すべく、請求項１記載の発明は、主レンズ系の前方にコンバータレンズを保持するレンズ保持部構造であって、内部に主レンズ系を保持するレンズ鏡筒と、前記レンズ鏡筒の前方に配設されるコンバータレンズと、前記レンズ鏡筒に外嵌めされる環部とこの環部と一体形成されて前記主レンズ系の前方に前記コンバータレンズを保持するコンバータレンズ保持部とを有するコンバータレンズ保持体と、を備えたものである。
【０００７】
請求項２記載の発明は、前記環部はねじ孔を有しており、ねじを用いて前記環部が前記レンズ鏡筒にねじ止固定されたものである。
【０００８】
請求項３記載の発明は、前記コンバータレンズは略半円状に形成されると共に、その弧状の外周部に保持突部が形成され、前記コンバータレンズ保持部に前記保持突部が嵌まり込むレンズ保持溝が形成され、前記保持突部が前記レンズ保持溝に嵌まり込んだ状態で、前記コンバータレンズが前記主レンズ系の前方に保持されたものである。
【０００９】
請求項４記載の発明は、前記保持突部に係合部が形成されると共に、前記コンバータレンズ保持部に前記係合部と係合可能な被係合部が形成され、前記保持突部が前記レンズ保持溝に嵌め込まれた状態で、前記係合部が前記被係合部に係合することで、前記コンバータレンズが前記コンバータレンズ保持部に保持されたものである。
【００１０】
【発明の実施の形態】
以下、この発明の実施の形態に係るレンズ保持部構造について説明する。
【００１１】
図１はレンズ保持部構造を示す分解斜視図であり、図２はレンズ保持部構造を示す一部破断側面図であり、図３〜図５はレンズ保持部構造を示す斜視図であり、図６は図３のＶＩ−ＶＩ線断面図である。なお、図１及び図２は、レンズ保持部構造がレンズホルダに取付けられた状態を示している。また、図６では主レンズ系２０を省略している。
【００１２】
このレンズ保持部構造の使用態様について概略的に説明しておくと、このレンズ保持部構造は、自動車等の車両に搭載されて車両周辺景色を撮像するための撮像装置等に適用される。このような車両周辺景色撮像用の撮像装置は、自動車のボンネット上やフロントグリル、バンパー上部等に取付けられる。そして、撮像装置により車両両側の左右の景色や車両の前方下部の景色が撮像される。これらの撮像画像は車両内部に設置されたＬＣＤ（液晶ディスプレイ）等からなる表示手段に表示される。
【００１３】
このレンズ保持部構造は、主レンズ系２０の前方にコンバータレンズ４０を保持するものであり、主レンズ系２０を保持したレンズ鏡筒３０と、コンバータレンズ４０と、コンバータレンズ保持体５０とを備えている。本実施の形態では、このレンズ保持部構造は、ＣＣＤ等の撮像素子を収納したレンズホルダ１０に取付けられる。
【００１４】
レンズホルダ１０は、ケース状に形成されており、その一主面にレンズ鏡筒３０を支持するための支持筒部１２が突設されている。この支持筒部１２の基端側開口内部に、ＣＣＤ等の撮像素子が配設される。また、この支持筒部１２の外周部に、その径方向外側に突出するガイド凸部１３が形成されている。
【００１５】
主レンズ系２０は、上記撮像素子の前方に配設され、所定の撮像範囲の像を撮像素子の撮像面に結像させるための光学系要素である。ここでは、主レンズ系２０は、複数のレンズの組合せであるレンズ群により構成されている。
【００１６】
レンズ鏡筒３０は、上記主レンズ系２０を保持するものであり、樹脂等により、主レンズ系２０を収容可能な略筒状に形成されている。そして、主レンズ系２０を構成するレンズ群が適宜配列にてレンズ鏡筒３０内に収容配置されることで、主レンズ系２０がレンズ鏡筒３０内に保持される。
【００１７】
また、このレンズ鏡筒３０の一端部は、その手前側部分よりも径寸法が大きい太径部３０ａに形成されると共に、その太径部３０ａよりも手前側に環状の位置決溝部３０ｂが形成されている。
【００１８】
図７はコンバータレンズ４０及びコンバータレンズ保持体５０を示す分解正面図である。
【００１９】
図１〜図３，図５〜図７に示すように、  コンバータレンズ４０は、レンズ鏡筒３０の前方に設けられるものであり、撮像範囲を広げる広角レンズとしての機能を持っている。
【００２０】
本実施の形態では、主レンズ系２０の前方上半部に、プリズム（図示省略）を配設し、主レンズ系２０の前方下半部にコンバータレンズ４０を配設する態様を想定している。
【００２１】
この場合に、プリズムとして、例えば、硝材等により断面が二等辺三角形の三角柱体に形成されたものを用い、その二等辺三角形の二等辺に対応する各プリズム側面を主レンズ系２０に対して斜め前方に指向させると共に、他のプリズム後面を主レンズ系２０に指向させる姿勢で、該プリズムを主レンズ系２０の前方に配設する。すると、プリズムの両側方からの光が該プリズムを介して主レンズ系２０の上半部に案内され撮像素子に結像するようになる。これにより、主レンズ系２０の両側方（即ち、撮像装置の両側方）の景色が撮像されるようになる。なお、２つのプリズムを用いて両側方を撮像する構成を採用することもできる。
【００２２】
また、コンバータレンズ４０は、主レンズ系２０の下半部を覆う略半円状に形成されている。このコンバータレンズ４０は、主レンズ系２０の前方下半部に配設される。そして、主レンズ系２０の前方下半部における比較的広角な範囲（即ち、撮像装置の前方下部）からの光が、コンバータレンズ４０によって主レンズ系２０に導かれ、撮像素子に結像するようになっている。
【００２３】
このため、主レンズ系２０の前方上半部に、プリズムを配設し、主レンズ系２０の前方下半部にコンバータレンズ４０を配設した構成では、撮像装置の側方及び前方下部の景色を同時に撮像できる。撮像装置を車両のフロントグリルに設置した構成にあっては、死角となり易い車両の側方及び前方下部の画像を同時に撮像し、これを車室内の表示手段に表示させることができ便利である。
【００２４】
コンバータレンズ４０のより具体的な構成について説明する。
コンバータレンズ４０は、略半円板状に形成されており、その弧状の外周部に沿って保持突部４２が形成されている。保持突部４２は、コンバータレンズ４０のうちレンズとしての機能を持つ本体部分よりも薄手に形成されており、後述するレンズ保持溝５５内に嵌め込み可能に形成されている。このコンバータレンズ４０の両側部は、直線状に切り落されたような形状となっている。
【００２５】
また、コンバータレンズ４０の両側部にそれぞれ位置決突部４３が形成されると共に、保持突部４２の外周部中間部に位置決突部４４が形成されている。これら位置決突部４３は、後述するコンバータレンズ保持体５０側の各位置決凹部５６，５７にそれぞれ嵌め込まれる。
【００２６】
さらに、保持突部４２の外周部の中間部であって前面側位置に、後述する被係合部５８と係合可能な係合部４５が形成されている。係合部４５は、傾斜面４５ａと係合面４５ｂとを有し、保持突部４２の内側に向うに従って突出寸法が順次大きくなる突起形状を有している。
【００２７】
コンバータレンズ保持体５０は、樹脂等により形成されるものであり、図１〜図７に示すように、環部５２とこの環部５２に一体形成されたコンバータレンズ保持部５４とを備えている。
【００２８】
環部５２は、レンズ鏡筒３０に外嵌め可能な環状に形成されている。ここでは、環部５２は、レンズ鏡筒３０のうち上記太径部３０ａよりも手前の部分の外径寸法と略同一な内径寸法を有する環状に形成されている。そして、環部５２をレンズ鏡筒３０にその他端側より外嵌めして、該環部５２を太径部３０ａに当接させる位置に配設することができる。
【００２９】
また、環部５２にねじ孔５２ｈが形成されている。そして、環部５２をレンズ鏡筒３０に外嵌めした状態で、ねじＳ１を該ねじ孔５２ｈに螺合締結させて、ねじＳ１の先端部を位置決溝部３０ｂに当接させることで、環部５２がレンズ鏡筒３０に対して外嵌めされた状態で位置決め固定される（図２参照）。
【００３０】
また、この環部５２には、上記ガイド凸部１３に係合し合う位置決突起部５３が形成されている。この位置決突起部５３は、一対の位置決片５３ａを備えており、各位置決片５３ａがガイド凸部１３の両側面に当接することで、ガイド凸部１３と位置決突起部５３とが係合し合う。これにより環部５２の回り止が図られる。
【００３１】
コンバータレンズ保持部５４は、コンバータレンズ４０を保持するものである。具体的には、コンバータレンズ保持部５４は、環部５２をレンズ鏡筒３０に外嵌めした状態で主レンズ系２０の前方下部位置に配設される。
【００３２】
コンバータレンズ保持部５４は、レンズ鏡筒３０の一端側の外周部の一部である半円弧形状に倣う形状を有している。コンバータレンズ保持部５４の内周部には、上記保持突部４２を嵌め込み可能なレンズ保持溝５５が形成されている。
【００３３】
また、コンバータレンズ保持部５４の両側部には、上記一対の位置決突部４３をそれぞれ嵌め込み可能な位置決凹部５６が形成されている。また、コンバータレンズ保持部５４の中間部であってレンズ保持溝５５の底部には、位置決突部４４を嵌め込み可能な位置決凹部５７が形成されている。
【００３４】
さらに、コンバータレンズ保持部５４に、上記係合部４５と係合可能な被係合部５８が形成されている。より具体的には、コンバータレンズ保持部５４のうちレンズ保持溝５５の前側壁部の幅方向中間部に、略Ｌ字状の切離溝５８ａが形成されることで、細長く弾性変形可能な接片状の被係合部５８が形成されている。
【００３５】
このように構成されたレンズ保持部構造の組立手順例について説明する。
【００３６】
まず、主レンズ系２０を保持したレンズ鏡筒３０を準備する。
【００３７】
そして、コンバータレンズ保持体５０の環部５２を、レンズ鏡筒３０にその他端側より外嵌めする。
【００３８】
次に、コンバータレンズ４０の保持突部４２をレンズ保持溝５５内に嵌め込む。この際、コンバータレンズ４０の両側部の両位置決突部４３がレンズ保持溝５５の両側部にある両位置決凹部５６に嵌め込まれると共に、コンバータレンズ４０の下部中間部にある位置決突部４４が位置決凹部５７に嵌め込まれるようにする。また、コンバータレンズ４０の保持突部４２をレンズ保持溝５５内に押込むことで、係合部４５の傾斜面４５ａを被係合部５８に摺接させて、被係合部５８をレンズ保持溝５５の外側に弾性変形させる。保持突部４２をレンズ保持溝５５に完全に押込むと、係合部４５が被係合部５８を乗越えて切離溝５８ａ内に達し、係合部４５の係合面４５ｂが被係合部５８のうち切離溝５８ａ側の面に当接する。このようにして、係合部４５と被係合部５８とが係合し、コンバータレンズ４０がコンバータレンズ保持部５４に対して抜止め状に保持されることとなる（図２及び図６参照）。
【００３９】
この後、レンズ鏡筒３０の他端部をレンズホルダ１０の支持筒部１２内に挿入する。この際、ガイド凸部１３と位置決突起部５３とが係合し合うことで、支持筒部１２に対する環部５２の回り止が図られ、コンバータレンズ保持部５４が主レンズ系２０の下半部位置で保持されることとなる。
【００４０】
最後に、主レンズ系２０を保持したレンズ鏡筒３０を、レンズホルダ１０の支持筒部１２に対してその軸方向に移動させてピント合せを行う。そして、適正なピント状態になった後で、ねじＳ２を用いてレンズ鏡筒３０と支持筒部１２とのねじ締め固定を行う（図２参照）。そして、該環部５２を太径部３０ａに当接させた状態で、環部５２のねじ孔５２ｈにねじＳ１を螺合締結させて、環部５２をレンズ鏡筒３０にねじ止固定する。以上によりレンズ保持部構造の組立が完了する。
【００４１】
以上のように構成されたレンズ保持部構造によると、コンバータレンズ保持体５０の環部５２がレンズ鏡筒３０に外嵌めされることで、主レンズ系２０の前方にコンバータレンズ４０が保持される。このため、該コンバータレンズ４０をしっかりと保持することができる。
【００４２】
特に、環部５２がレンズ鏡筒３０にねじ止固定されるため、よりしっかりとコンバータレンズ４０を保持することができる。
【００４３】
また、コンバータレンズ４０の保持突部４２をコンバータレンズ保持部５４のレンズ保持溝５５に押込むように嵌め込むことで、コンバータレンズ４０がコンバータレンズ保持部５４に位置決め保持されるため、容易にコンバータレンズ４０をコンバータレンズ保持部５４に保持させることができる。
【００４４】
しかも、保持突部４２がレンズ保持溝５５に嵌め込まれた状態で、係合部４５が被係合部５８に係合するため、コンバータレンズ４０をコンバータレンズ保持部５４にしっかりと保持できる。
【００４５】
【発明の効果】
以上のように、この発明の請求項１記載の発明によると、コンバータレンズ保持体の環部がレンズ鏡筒に外嵌めされることで、主レンズ系の前方にコンバータレンズが保持される。このため、該コンバータレンズをしっかりと保持することができる。
【００４６】
また、請求項２記載の発明によれば、環部がレンズ鏡筒にねじ止固定されるため、よりしっかりとコンバータレンズを保持することができる。
【００４７】
さらに、請求項３記載の発明によれば、コンバータレンズの保持突部を保持溝に嵌め込むことで、容易にコンバータレンズをコンバータレンズ保持部に保持させることができる。
【００４８】
また、請求項４記載の発明によれば、保持突部がレンズ保持溝に嵌め込まれた状態で、係合部が被係合部に係合するため、コンバータレンズをコンバータレンズ保持部にしっかりと保持できる。
【図面の簡単な説明】
【図１】この発明の実施の形態に係るレンズ保持部構造を示す分解斜視図である。
【図２】レンズ保持部構造を示す一部破断側面図である。
【図３】レンズ保持部構造の前方斜め上方からの斜視図である。
【図４】レンズ保持部構造の後方斜め上方からの斜視図である。
【図５】レンズ保持部構造の前方斜め下方からの斜視図である。
【図６】図３のＶＩ−ＶＩ線断面図である。
【図７】コンバータレンズ及びコンバータレンズ保持部を示す分解正面図である。
【符号の説明】
２０  主レンズ系
３０  レンズ鏡筒
４０  コンバータレンズ
４２  保持突部
４５  係合部
５０  コンバータレンズ保持体
５４  コンバータレンズ保持部
５５  レンズ保持溝
５８  被係合部
【図１】
2004325499.tif 000003
【図２】
2004325499.tif 000004
【図３】
2004325499.tif 000005
【図４】
2004325499.tif 000006
【図５】
2004325499.tif 000007
【図６】
2004325499.tif 000008
【図７】
2004325499.tif 000009